(57)【要約】【課題】包装袋を外すことなく外装物品を試着する。【解決手段】包装体６は、おむつカバーである外装物品１、および、展開された状態の外装物品１を収容する包装袋５を備える。外装物品１は、着用者に装着される際に一対の脚部開口を形成する一対の脚部開口形成部１２１を備える。包装袋５の輪郭は、外装物品１の一対の脚部開口形成部１２１の輪郭に沿う。包装袋５は、一対の包装後方側端部５５に一対の粘着テープ５３を備える。外装物品１を試着する際には、包装袋５を取り外すことなく外装物品１が着用者にあてがわれ、着用者の腹側に接する包装袋５の包装前方中央部５４に一方の粘着テープ５３を粘着させ、他方の粘着テープ５３を上記一方の包装後方側端部５５上に粘着させる。これにより、外装物品１の複数の止着部である前方中央部１４および一対の後方側端部１５が、着用者に外装物品１が装着される際と実質的に同様に互いに固定される。【選択図】図１
2013000164.tif 000002
【特許請求の範囲】
【請求項１】
おむつカバーまたは吸収性物品の着用に用いられる下着である外装物品を包装した包装体であって、
外装物品と、
透明または半透明のシート部材にて形成され、展開された状態のシート状の前記外装物品の両面に接しつつ前記外装物品の全体を収容する包装袋と、
を備え、
前記外装物品が、着用者に装着される際に一対の脚部開口を形成する一対の脚部開口形成部を備え、
前記包装袋の輪郭が、前記外装物品の前記一対の脚部開口形成部の輪郭に沿うことを特徴とする包装体。
【請求項２】
請求項１に記載の包装体であって、
前記包装袋の輪郭が、前記外装物品の全体の輪郭に沿うことを特徴とする包装体。
【請求項３】
請求項１または２に記載の包装体であって、
前記包装袋の全体が透明であることを特徴とする包装体。
【請求項４】
請求項１ないし３のいずれかに記載の包装体であって、
前記外装物品が、着用者に装着される際に互いに止着される複数の止着部をさらに備え、
前記包装袋が、前記複数の止着部を、着用者に装着される際と実質的に同様に互いに固定する固定部を備えることを特徴とする包装体。
【発明の詳細な説明】
【技術分野】
【０００１】
本発明は、おむつカバーまたは吸収性物品の着用に用いられる下着である外装物品を包装した包装体に関する。
【背景技術】
【０００２】
従来より、使い捨ておむつを着用者に密着させてずれを防止するために、特許文献１に示されるように、使い捨ておむつの外側を覆うように装着されるおむつカバーが利用されている。また、軽失禁パッドのような吸収性物品の外側に装着されて、吸収性物品を着用者に密着させるショーツ等の下着も利用されている。このようなおむつカバーやショーツ等の外装物品は、通常、略矩形状に薄く折り畳まれて薄いシート状の包装袋等に収容された状態で店頭等に陳列される。
【先行技術文献】
【特許文献】
【０００３】
【特許文献１】特開２００３−１９０２１３号公報
【発明の概要】
【発明が解決しようとする課題】
【０００４】
ところで、外装物品の包装袋等には、通常、外装物品のサイズ等が表示されているが、包装袋等に収容された状態では、実際に着用する際の外装物品の形状や大きさがわかりにくい。したがって、当該外装物品が使用者の体型にフィットするか否かを判断することが容易ではない。しかしながら、外装物品を包装袋等から取り出して試着用として店頭においた場合、試着用に使用された外装物品は販売には適さない状態となってしまう。したがって、比較的高価なおむつカバー等の外装物品を、このような試着用に提供することはあまり行われていない。
【０００５】
本発明は、上記課題に鑑みなされたものであり、包装袋を外すことなく外装物品を試着することを目的としている。
【課題を解決するための手段】
【０００６】
請求項１に記載の発明は、おむつカバーまたは吸収性物品の着用に用いられる下着である外装物品を包装した包装体であって、外装物品と、透明または半透明のシート部材にて形成され、展開された状態のシート状の前記外装物品の両面に接しつつ前記外装物品の全体を収容する包装袋とを備え、前記外装物品が、着用者に装着される際に一対の脚部開口を形成する一対の脚部開口形成部を備え、前記包装袋の輪郭が、前記外装物品の前記一対の脚部開口形成部の輪郭に沿う。
【０００７】
請求項２に記載の発明は、請求項１に記載の包装体であって、前記包装袋の輪郭が、前記外装物品の全体の輪郭に沿う。
【０００８】
請求項３に記載の発明は、請求項１または２に記載の包装体であって、前記包装袋の全体が透明である。
【０００９】
請求項４に記載の発明は、請求項１ないし３のいずれかに記載の包装体であって、前記外装物品が、着用者に装着される際に互いに止着される複数の止着部をさらに備え、前記包装袋が、前記複数の止着部を、着用者に装着される際と実質的に同様に互いに固定する固定部を備える。
【発明の効果】
【００１０】
本発明では、包装袋を外すことなく外装物品を試着することができる。
【図面の簡単な説明】
【００１１】
【図１】第１の実施の形態に係る包装体を示す平面図である。
【図２】装着状態の外装物品を示す平面図である。
【図３】包装体の断面図である。
【図４】第２の実施の形態に係る包装体を示す平面図である。
【図５】装着状態の外装物品を示す平面図である。
【図６】他の包装体を示す平面図である。
【図７】他の包装体を示す平面図である。
【発明を実施するための形態】
【００１２】
図１は、本発明の第１の実施の形態に係る包装体６を示す平面図である。包装体６は、おむつカバー、または、吸収性物品の着用に用いられる下着（例えば、軽失禁パッド用のショーツ）である外装物品１を包装袋５により包装したものである。本実施の形態では、おむつカバーが、外装物品１として包装袋５により包装される。包装体６は、包装袋５の図１中における上端に接続される略矩形状の吊り下げ部７をさらに備える。吊り下げ部７は、ボール紙やプラスチックフィルム等により形成され、左右方向の中央部に略円形の孔７１が設けられる。吊り下げ部７には、外装物品１に係る情報、例えば、外装物品１の名称やサイズ等が表示される。
【００１３】
外装物品１は、着用者の腹側および背側の肌に接する前方部１０１および後方部１０３、並びに、前方部１０１と後方部１０３との間にて着用者の股間部に対向する股下部１０２を備える。後方部１０３の左右両側に突出する一対の後方側端部１５には、面ファスナのフック部材１３が設けられる。
【００１４】
図２に示すように、一対の後方側端部１５が前方部１０１の外側の面に止着されることにより、外装物品１が、胴部開口１１および一対の脚部開口１２を有するパンツ型となる。すなわち、外装物品１は、外ベルトタイプのおむつカバーである。図２では、着用者の身体を二点鎖線にて描いている（図５においても同様）。以下の説明では、外装物品１が着用者に装着される際に一対の脚部開口１２を形成する一対の部位１２１、すなわち、股下部１０２の図１中における左右両側の部位１２１を「脚部開口形成部１２１」という。本実施の形態では、図２に示す着用者の右側の後方側端部１５のフック部材１３が、前方部１０１の前方中央部１４に止着され、着用者の左側の後方側端部１５のフック部材１３が、前方中央部１４上に止着された右側の後方側端部１５上から前方部１０１に間接的に止着される。前方中央部１４および一対の後方側端部１５は、外装物品１が着用者に装着される際に互いに止着される複数の止着部である。
【００１５】
図３は、包装体６を図１中のＡ−Ａの位置にて切断した断面図である。図１および図３に示すように、包装袋５は、展開された状態（すなわち、折り畳まれることなく広げられた状態）のシート状の外装物品１の両面に接しつつ外装物品１の全体を収容する。図１に示すように、包装袋５の輪郭は、外装物品１の全体の輪郭に沿っており、当然に、一対の脚部開口形成部１２１の輪郭にも沿う。
【００１６】
図３に示すように、包装袋５は、透明または半透明の第１シート部材５１および第２シート部材５２を、外装物品１を挟んで重ね合わせ、外装物品１の周囲にて接合することにより形成される。図３では、図の理解を容易にするために、外装物品１および包装袋５の各構成を離間させて描いているが、実際には、図中の上下方向において隣接する各構成は互いに接している。第１シート部材５１は、外装物品１の着用者側の面に接し、第２シート部材５２は、外装物品１の着用者とは反対側の面に接する。第１シート部材５１および第２シート部材５２の接合は、例えば、熱圧着や超音波接合、接着剤による接着により行われる。本実施の形態では、包装袋５の全体が透明なプラスチックフィルムにて形成される。
【００１７】
以下の説明では、図１に示す包装袋５のうち、外装物品１の前方中央部１４および一対の後方側端部１５に対応する部位（すなわち、重なる部位）を、包装前方中央部５４および一対の包装後方側端部５５という。包装袋５は、一対の包装後方側端部５５において第１シート部材５１の外装物品１に接する面とは反対側の面上に設けられる一対の粘着テープ５３を備える。一対の粘着テープ５３は、外装物品１の一対のフック部材１３におよそ重なる位置に配置される。
【００１８】
粘着テープ５３は、図３に示すように、折り返し線５３１にて２つ折りにされたプラスチックテープである基材５３２、および、基材５３２上に設けられた粘着層５３３を備える。基材５３２の折り畳み線５３１の一方側の部位である第１部位５３４は、第１シート部材５１上に接合されており、第１部位５３４の第１シート部材５１とは反対側の面に、上記粘着層５３３が設けられる。第２部位５３５は、粘着層５３３上に重ねられて粘着される。
【００１９】
外装物品１の販売店等では、陳列棚の吊り下げ用金具等が、図１に示す吊り下げ部７の孔７１に挿入され、外装物品１が吊り下げられた状態で陳列される。また、外装物品１は、店頭において試着用としても提供される。外装物品１を試着する際には、包装袋５を外装物品１から取り外すことなく、外装物品１が着用者にあてがわれる。このとき、包装袋５の包装前方中央部５４は、着用者の腹側に接する。続いて、図３に示す一対の粘着テープ５３において、第２部位５３５を粘着層５３３から剥離し、一方の包装後方側端部５５に設けられた粘着テープ５３の粘着層５３３を、包装袋５の包装前方中央部５４に粘着させる。そして、他方の包装後方側端部５５に設けられた粘着テープ５３の粘着層５３３を、既に包装前方中央部５４に固定された包装後方側端部５５上に粘着させる。
【００２０】
これにより、外装物品１の複数の止着部である前方中央部１４および一対の後方側端部１５が、着用者に外装物品１が装着される際と実質的に同様に互いに固定される。包装体６では、一対の粘着テープ５３が、外装物品１の上述の複数の止着部を、実際の装着の際と実質的に同様に互いに固定する固定部となっている。一対の粘着テープ５３は、粘着および剥離を繰り返しても粘着力が保持されるため、店頭において繰り返される試着用として提供することができる。
【００２１】
外装物品１の販売店等では、外装物品１が包装袋５から取り出されることなく、人体の腰部の模型等に装着された状態で陳列されてもよい。この場合も、包装袋５の一対の粘着テープ５３が包装前方中央部５４に粘着されることにより、外装物品１の前方中央部１４および一対の後方側端部１５が、着用者に装着される際と実質的に同様に互いに固定される。このように、外装物品１を装着状態で展示することにより、購入予定者による外装物品１の形状や使用方法等の確認を容易とすることができる。包装体６では、吊り下げ部７と一対の粘着テープ５３とが設けられることにより、包装体６の陳列方法の選択が可能となっている。
【００２２】
以上に説明したように、包装体６では、包装袋５の輪郭が、外装物品１の一対の脚部開口形成部１２１の輪郭に沿っているため、包装袋５を外装物品１から取り外すことなく、外装物品１の股下部１０２を着用者の股間部にあてがうことができる。そして、外装物品１の前方部１０１および後方部１０３を着用者の腹側および背側にあてがうことにより、包装袋５を取り外すことなく外装物品１を試着することができ、外装物品１が着用者の体型にフィットするか否かを容易に確認することができる。また、包装袋５の輪郭が外装物品１の全体の輪郭に沿っているため、外装物品１の試着をより容易とすることができる。また、外装物品１の実際の装着に近い状態で試着できるため、外装物品１が着用者の体型にフィットするか否かをより容易に確認することができる。
【００２３】
包装体６では、包装袋５の全体が透明であるため、試着後の外装物品１の状態を容易に確認することができる。また、包装袋５に設けられた一対の粘着テープ５３により、外装物品１の複数の止着部（すなわち、前方中央部１４および一対の後方側端部１５）が、着用者に装着される際と実質的に同様に互いに固定される。これにより、外装物品１の試着をさらに容易とすることができる。
【００２４】
次に、本発明の第２の実施の形態に係る包装体６ａについて説明する。図４は、包装体６ａを示す平面図である。包装体６ａでは、外ベルトタイプのおむつカバーである外装物品１に代えて、内ベルトタイプのおむつカバーである外装物品１ａが包装袋５により包装される。その他の構成は、図１に示す包装体６とほぼ同様であり、対応する構成に同符号を付す。
【００２５】
外装物品１ａでは、一方の後方側端部１５にフック部材１３が設けられ、当該フック部材１３により、上記後方側端部１５が着用者の腹側において他方の後方側端部１５に止着される。また、前方中央部１４にもフック部材１３が設けられ、当該フック部材１３により、図５に示すように、前方中央部１４が互いに止着された一対の後方側端部１５上に止着される。
【００２６】
図４に示すように、包装袋５の一方の包装後方側端部５５には、外装物品１ａの後方側端部１５のフック部材１３とおよそ重なる位置に粘着テープ５３が設けられる。また、包装袋５の包装前方中央部５４には、外装物品１ａの前方中央部１４のフック部材１３とおよそ重なる位置に粘着テープ５３が設けられる。
【００２７】
外装物品１ａを試着する際には、包装袋５を外装物品１ａから取り外すことなく、外装物品１ａが着用者にあてがわれる。続いて、包装袋５の一方の包装後方側端部５５の粘着テープ５３を他方の包装後方側端部５５に粘着させる。そして、包装袋５の包装前方中央部５４に設けられた粘着テープ５３を、既に互いに固定された一対の包装後方側端部５５上に粘着させる。これにより、外装物品１ａの複数の止着部である前方中央部１４および一対の後方側端部１５が、着用者に外装物品１ａが装着される際と実質的に同様に互いに固定される。包装体６ａでは、２つの粘着テープ５３が、外装物品１ａの上述の複数の止着部を、実際の装着の際と実質的に同様に互いに固定する固定部となっている。
【００２８】
包装体６ａでは、第１の実施の形態に係る包装体６と同様に、包装袋５の輪郭が、外装物品１ａの一対の脚部開口形成部１２１の輪郭に沿っているため、包装袋５を取り外すことなく外装物品１ａを試着することができ、外装物品１ａが着用者の体型にフィットするか否かを容易に確認することができる。また、包装袋５の輪郭が外装物品１ａの全体の輪郭に沿っているため、外装物品１ａの試着をより容易とすることができる。さらに、外装物品１ａの実際の装着に近い状態で試着できるため、外装物品１ａが着用者の体型にフィットするか否かをより容易に確認することができる。
【００２９】
包装体６ａでは、包装袋５の全体が透明であるため、試着後の外装物品１ａの状態を容易に確認することができる。また、包装袋５に設けられた２つの粘着テープ５３により、外装物品１ａの複数の止着部（すなわち、前方中央部１４および一対の後方側端部１５）が、着用者に装着される際と実質的に同様に互いに固定される。これにより、外装物品１ａの試着をさらに容易とすることができる。
【００３０】
以上、本発明の実施の形態について説明してきたが、本発明は上記実施の形態に限定されるものではなく、様々な変更が可能である。
【００３１】
上記実施の形態に係る包装体６，６ａでは、包装袋５から粘着テープ５３が省略され、外装物品１，１ａの重ね合わされた前方中央部１４および一対の後方側端部１５をまとめて挟んで固定するクリップが、外装物品１，１ａの複数の止着部である前方中央部１４および一対の後方側端部１５を、着用者に装着される際と実質的に同様に互いに固定する固定部として設けられてもよい。また、粘着テープ５３に代えて複数の紐やリボン等が包装袋５に設けられ、これらの紐やリボンが互いに結ばれることにより、外装物品１，１ａの複数の止着部が、着用者に装着される際と実質的に同様に互いに固定されてもよい。なお、包装体６，６ａを着用者にあてがうだけで、外装物品１，１ａが着用者の体型にフィットするか否かを容易に確認することができるのであれば、外装物品１，１ａの複数の止着部を互いに固定する固定部は省略されてもよい。
【００３２】
上記実施の形態では、外装物品１，１ａの輪郭が曲線になっている部分では、包装袋５の輪郭も曲線となっているが、包装袋５の輪郭は、外装物品１，１ａの輪郭におよそ沿っていればよい。例えば、図６に示す包装袋５ａのように、その輪郭は、複数の直線で構成された折れ線であってもよい。このように、包装袋５ａの輪郭が全て直線で構成されることにより、包装袋５ａの製造を容易とすることができる。
【００３３】
包装袋５の輪郭は、外装物品１，１ａの一対の脚部開口形成部１２１の輪郭に沿っていれば、必ずしも、前方部１０１や後方部１０３の輪郭に沿う必要はなく、例えば、図７に示す包装袋５ｂのように、外装物品１の前方部１０１および後方部１０３を包む部位は、外装物品１の左右両側の曲線のエッジに沿わない略矩形状であってもよい。この場合であっても、包装袋５ｂの輪郭が、一対の脚部開口形成部１２１の輪郭に沿うことにより、包装袋５ｂを外装物品１から取り外すことなく、外装物品１の股下部１０２を着用者の股間部にあてがって外装物品１を試着することができる。
【００３４】
上述の包装体では、内部の外装物品１，１ａの形状や大きさが把握可能であるならば、包装袋５〜５ｂの全体が透明である必要はなく、包装袋５〜５ｂの一部が不透明であってもよい。当該不透明部には、例えば、商品名等の情報やデザインが表示される。
【００３５】
上記実施形態および各変形例における構成は、相互に矛盾しない限り適宜組み合わされてよい。
【符号の説明】
【００３６】
１，１ａ    外装物品
５〜５ｂ    包装袋
６，６ａ    包装体
１２    脚部開口
１４    前方中央部
１５    後方側端部
５１    第１シート部材
５２    第２シート部材
５３    粘着テープ
１２１    脚部開口形成部
【図１】
2013000164.tif 000003
【図２】
2013000164.tif 000004
【図３】
2013000164.tif 000005
【図４】
2013000164.tif 000006
【図５】
2013000164.tif 000007
【図６】
2013000164.tif 000008
【図７】
2013000164.tif 000009